【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置において、
像担持体を有する第一ユニットと、現像剤担持体を有して、前記現像剤担持体を前記像担持体に当接させる当接位置および前記現像剤担持体を前記像担持体から離間させる離間位置に移動可能な第二ユニットと、を有するプロセスカートリッジを着脱可能な装着部と、
前記第二ユニットに設けられた力受け部と係合可能な係合部材と、
を備え、
前記係合部材は、
前記力受け部と係合することで前記第二ユニットを前記離間位置に維持するための第１位置と、
画像形成時に、前記第二ユニットが前記離間位置から前記当接位置に移動するのを許容するための第２位置と、
前記プロセスカートリッジが前記装着部に装着される際に、前記プロセスカートリッジから押圧されることで退避して、前記プロセスカートリッジが装着されるのを許容するための第３位置と、
の異なる３つの位置に移動可能であることを特徴とする画像形成装置。
【請求項２】
前記係合部材が前記力受け部と係合することで受ける力は、前記係合部材が前記第３位置から前記第１位置に移動する方向に作用する成分を有することを特徴とする請求項１に記載の画像形成装置。
【請求項３】
前記力受け部と当接する前記係合部材の当接部は、前記係合部材が前記第１位置から前記第２位置へ移動する方向と直交する方向に対して傾斜することを特徴とする請求項１又は２に記載の画像形成装置。
【請求項４】
前記力受け部と当接する前記係合部材の当接部は、前記係合部材が前記第１位置から前記第２位置へ移動する方向の上流側かつ、前記第１位置から前記第３位置に移動する方向の上流側から、前記第１位置から前記第２位置へ移動する方向の下流側かつ、前記第１位置から前記第３位置へ移動する方向の下流側に向かって傾斜することを特徴とする請求項３に記載の画像形成装置。
【請求項５】
前記画像形成装置は更に、
前記係合部材を前記第１位置および前記第３位置に移動可能に支持する支持部を有し、移動することで、前記係合部材を第１位置と第２位置とに移動させる移動部材を備えることを特徴とする請求項１乃至４のいずれか１項に記載の画像形成装置。
【請求項６】
前記係合部材が前記第３位置に位置する際に、前記移動部材が往復運動することによって、係合部材は前記第２位置を経由して前記第１位置へと移動し、前記力受け部と係合することを特徴とする請求項５に記載の画像形成装置。
【請求項７】
前記移動部材は、前記係合部材を前記第３位置から前記第１位置に向けて付勢する弾性部材を有することを特徴とする請求項５又は６に記載の画像形成装置。
【請求項８】
前記支持部は、前記係合部材を回転可能に支持することを特徴とする請求項５乃至７のいずれか１項に記載の画像形成装置。
【請求項９】
前記装着部は、前記プロセスカートリッジを複数装着することが可能であって、
前記画像形成装置は、前記係合部材を前記プロセスカートリッジの数に対応するよう複数備え、
その複数の係合部材の各々は、対応する力受け部と当接するための当接部を有し、
両端に配置された２つの係合部材の各々の回転中心は、前記両端に配置された２つの係合部材の各々の当接部の間に挟まれるように配置されることを特徴とする請求項８に記載の画像形成装置。
【請求項１０】
前記支持部は、前記係合部材を前記移動部材の移動方向と交差する方向にスライド可能に支持することを特徴とする請求項５乃至７のいずれか１項に記載の画像形成装置。
【請求項１１】
前記装着部は、前記プロセスカートリッジを複数装着することが可能であって、
前記画像形成装置は、
前記係合部材を、前記プロセスカートリッジの数に対応するよう複数備え、
前記移動部材を複数備えるものであって、
複数の前記プロセスカートリッジのうちの一部のプロセスカートリッジの第二ユニットを当接位置に移動させ、その他のプロセスカートリッジの第二ユニットを離間位置に保持することが可能であることを特徴とする請求項５乃至１０のいずれか１項に記載の画像形成装置。
【請求項１２】
前記画像形成装置は更に、前記プロセスカートリッジを載せ置くための載置部材であって、前記画像形成装置の内部に装着された装着位置と、前記画像形成装置の外部に引き出された引き出し位置とを取り得る載置部材を備えることを特徴とする請求項１乃至１１のいずれか１項に記載の画像形成装置。
【請求項１３】
前記画像形成装置は更に、
前記像担持体に形成された現像剤像が転写される中間転写体または、記録媒体を搬送する搬送部材と、
前記載置部材が前記装着位置から前記引き出し位置に移動する際に通過する開口部を開閉する開閉部材と、
前記開閉部材の開閉動作に連動させて前記載置部材を動かす連動機構と、
を備え、
前記連動機構は、前記載置部材に前記プロセスカートリッジが載せ置かれた状態において、前記開閉部材が閉じる際に前記プロセスカートリッジの前記像担持体を前記中間転写体または前記搬送部材と当接させ、前記開閉部材が開く際に前記像担持体を前記中間転写体または前記搬送部材から離間させ、
前記係合部材は、前記開閉部材が閉じる際に、前記プロセスカートリッジから押圧されて、前記第３位置に移動することを特徴とする請求項１２に記載の画像形成装置。
【請求項１４】
記録媒体に画像を形成する画像形成装置において、
像担持体を有する第一ユニットと、現像剤担持体を有し、前記現像剤担持体を前記像担持体に当接させる当接位置および前記現像剤担持体を前記像担持体から離間させる離間位置に移動可能な第二ユニットと、を有するプロセスカートリッジと、
前記第二ユニットに設けられた力受け部と係合可能な係合部材と、
を備え、
前記係合部材は、
前記力受け部と係合することで前記第二ユニットを前記離間位置に維持するための第１位置と、
画像形成時に、前記第二ユニットが前記離間位置から前記当接位置に移動するのを許容するための第２位置と、
前記プロセスカートリッジが前記画像形成装置の装置本体に装着される際に、前記プロセスカートリッジから押圧されて退避して、前記プロセスカートリッジが装着されるのを許容するための第３位置と、
の異なる３つの位置に移動可能であることを特徴とする画像形成装置。
【請求項１５】
前記係合部材と前記力受け部が係合することで、前記係合部材と前記力受け部には互いを引き込む力が生じることを特徴とする請求項１４に記載の画像形成装置。
【請求項１６】
前記力受け部と当接する前記係合部材の当接部と、前記力受け部が、前記係合部材が前記第１位置から前記第２位置へ移動する方向と直交する方向に対して同じ向きに傾斜することを特徴とする請求項１４又は１５に記載の画像形成装置。
【請求項１７】
前記力受け部と当接する前記係合部材の当接部と、前記力受け部は、前記係合部材が前記第１位置から前記第２位置へ移動する方向の上流側かつ、前記第１位置から前記第３位置に移動する方向の上流側から、前記第１位置から前記第２位置へ移動する方向の下流側かつ、前記第１位置から前記第３位置へ移動する方向の下流側に向かって傾斜する請求項１６に記載の画像形成装置。
【請求項１８】
前記第二ユニットは、凹部または開口部を有し、前記力受け部は前記凹部または前記開口部に設けられ、前記係合部材の先端が前記凹部または前記開口部の中に進入した状態で、前記係合部材は前記力受け部と係合することを特徴とする請求項１４乃至１７のいずれか１項に記載のプロセスカートリッジ。
【請求項１９】
画像形成装置の装置本体に着脱可能なプロセスカートリッジにおいて、
像担持体を有する第一ユニットと、
現像剤担持体を有し、前記現像剤担持体を前記像担持体に当接させる当接位置および前記現像剤担持体を前記像担持体から離間させる離間位置に移動可能な第二ユニットと、
前記第二ユニットに設けられ、前記装置本体に設けられた係合部材と係合して、前記第二ユニットが前記当接位置から前記離間位置に移動するための力を前記係合部材から受ける力受け部と、
前記第二ユニットに設けられ、前記プロセスカートリッジが前記装置本体に装着される際に、前記係合部材を押圧することで、前記係合部材を前記プロセスカートリッジの移動を許容する退避位置に移動させる押圧部と、
を備えることを特徴とするプロセスカートリッジ。
【請求項２０】
前記プロセスカートリッジは、前記現像剤担持体の軸線と交差する方向かつ前記現像剤担持体から離れる方向に突出した突出部を有し、
前記押圧部および前記力受け部は前記突出部に設けられることを特徴とする請求項１９に記載のプロセスカートリッジ。
【請求項２１】
前記力受け部が前記係合部材と係合することで、前記係合部材と前記力受け部には互いを引き込む力が生じることを特徴とする請求項１９又は２０に記載のプロセスカートリッジ。
【請求項２２】
前記力受け部は、前記係合部材が退避する方向の上流側かつ、前記第二ユニットが前記離間位置から前記当接位置へ移動する際の前記力受け部の移動方向の上流側から、前記係合部材が退避する方向の下流側かつ、前記第二ユニットが前記離間位置から前記当接位置へ移動する際の前記力受け部の移動方向の下流側に向かって、傾斜することを特徴とする請求項１９乃至２１のいずれか１項に記載のプロセスカートリッジ。
【請求項２３】
前記第二ユニットは凹部又は開口部を有し、前記力受け部は前記凹部又は開口部に形成されることを特徴とする請求項１９乃至２２のいずれか１項に記載のプロセスカートリッジ。
【請求項２４】
画像形成装置の装置本体に着脱可能なプロセスカートリッジにおいて、
像担持体を有する第一ユニットと、
現像剤担持体を有し、前記現像剤担持体を前記像担持体に当接させる当接位置および前記現像剤担持体を前記像担持体から離間させる離間位置に移動可能な第二ユニットと、
前記第二ユニットに設けられ、前記装置本体に設けられた係合部材と係合して、前記第二ユニットが前記当接位置から前記離間位置に移動するための力を前記係合部材から受ける力受け部と、
を備え、
前記力受け部が前記係合部材と係合することで、前記係合部材と前記力受け部には互いを引き込む力が生じることを特徴とするプロセスカートリッジ。
【請求項２５】
像担持体を有する第一ユニットと、
現像剤担持体を有する第二ユニットであって、前記第一ユニットと回動可能に結合することで前記現像剤担持体を前記像担持体と当接させる当接位置と、前記現像剤担持体を前記像担持体から離間させる離間位置とに移動可能な第二ユニットと、
前記現像剤担持体の軸線方向における前記第二ユニットの端部に設けられ、前記軸線方向と交差する方向かつ、前記現像剤担持体から離れる方向に突出した突出部と、
を備え、
前記突出部は、凹部または開口部を有し、
前記凹部または前記開口部には、前記第二ユニットを前記当接位置から前記離間位置に移動させる力を受ける力受け部が設けられ、
前記現像剤担持体の軸線方向に沿って見たとき、前記力受け部は前記現像剤担持体が位置する側に面することを特徴とするプロセスカートリッジ。
【請求項２６】
前記突出部は前記凹部を有し、前記凹部は前記第一ユニットから離れる方向に窪むことを特徴とする請求項２５に記載のプロセスカートリッジ。
【請求項２７】
前記突出部はリング形状をとることで前記開口部を形成することを特徴とする請求項２６に記載のプロセスカートリッジ。